(57)【要約】      （修正有）【課題】穿刺針が外筒カテーテル先端から突出する突出長の設定がすぐにわかり、かつ簡単に突出長を設定して突出する内視鏡注射針を提供すること。【解決手段】先端に穿刺針２が取り付けられ、後端にはシリンジが接続される内部ハンドル３が取り付けられた内筒カテーテル１と、該内筒カテーテルを、カテーテルの長手方向に前後させる内腔を有し、後端には外部ハンドル５が取り付けられた外筒カテーテル４から構成される内視鏡用注射針であって、該内部ハンドルの外周上に突出長設定目盛７を入れ、更に該内部ハンドルの該突出長設定目盛上に位置し、該内部ハンドルの長手方向に前後する突出長調整グリップ６により該外筒カテーテル先端から突出する該穿刺針の長さを調整すること特徴とする内視鏡用注射針。【選択図】  図２
2004166808.tif 000002
【特許請求の範囲】
【請求項１】
先端に穿刺針が取り付けられ、後端にはシリンジが接続される内部ハンドルが取り付けられた内筒カテーテル、及び該内筒カテーテルをカテーテルの長手方向に前後させる内腔を有し、後端には外部ハンドルが取り付けられた外筒カテーテルとから構成される内視鏡用注射針であって、更に該内部ハンドルの外周上に突出長設定目盛、及び該突出長設定目盛上に位置し、該内部ハンドルの長手方向に前後する突出長調整グリップを有することを特徴とする内視鏡用注射針。
【発明の詳細な説明】
【０００１】
【発明の属する技術分野】
本発明は、内視鏡を介して体腔内に注射針を挿入して、患部に薬液等を注入する内視鏡用注射針に関する。
【０００２】
【従来の技術】
体腔内の患部に薬液等を注入するために、内視鏡の鉗子口より注射針を挿入して患部に穿刺し、薬剤を注入することが知られており、例えば特許文献１に開示されている。このような注射針は、穿刺針が先端に固定され、薬液が流れるルーメンを有する内筒カテーテル、この内筒カテーテルを内腔に挿入し、カテーテルの長手方向に前後できる外筒カテーテル、針先を外筒カテーテル先端から突出させるためのハンドル、突出した針の位置を決めるために外筒カテーテル先端に固定されたストッパーから構成される。穿刺針先端を外筒カテーテル先端から突出させるには基端側の操作部で、内筒カテーテルを外筒カテーテルの長手方向に押出すことで穿刺針が外筒カテーテル先端より突出し、また外筒先端に位置するストップチップにより、針の根元部分がストップチップに突き当たることで、ストップチップの先端から突出した穿刺針の突出長が正確に位置決めされる。
【０００３】
しかしながら、このタイプの内視鏡用注射針は突出できる穿刺針の長さが一定であるため、使用する部位を変たり、患者の状態により穿刺針の突出長を直ぐに変えたい場合には、別の突出長の内視鏡用注射針を新たに用意しなければならないという問題がある。また前記のとおり使用する部位や患者の状態を踏まえ、多くの異なる突出長の内視鏡用注射針を取り揃えておかなければならないため、在庫数も増えるといった問題がある。
【０００４】
前記の問題点を解決するため、カテーテルの端部に位置するハンドルで穿刺針の突出長を調整する機構を設けて、一定の突出長を設定してから、穿刺針を突出するタイプのカテーテルとして、例えば特許文献２に開示されている。このタイプではハンドルでの設定により穿刺針の突出長を長くしたり短くしたりする構造になっているが、設定した突出長がひと目でわかりにくいという問題があり、特に一回突出長を設定した後に、更に突出長を変更する場合には、前記のとおり最初に設定した突出長がひと目でわからないため予め設定長を記憶しておく必要があり、そして最初に設定した突出長から更に新たな突出長を設定しなければならないため、設定長の変更に手間と時間を要すという問題もある。
【０００５】
【特許文献１】実公平１−６８０５２号公報
【特許文献２】実公昭６３−２６３５１号公報
【０００６】
【発明が解決しようとする課題】
本発明はかかる問題点を解決することを目的としたもので、設定した突出長がすぐにわかり、かつ簡単に突出長が設定できる内視鏡を介して体腔内の患部に薬液等を注入する内視鏡用注射針を提供するものである。
【０００７】
【課題を解決するための手段】
すなわち本発明は先端に穿刺針が取り付けられ、後端にはシリンジが接続される内部ハンドルが取り付けられた内筒カテーテルと、該内筒カテーテルを、カテーテルの長手方向に前後させる内腔を有し、後端には外部ハンドルが取り付けられた外筒カテーテルから構成される内視鏡用注射針であって、該内部ハンドルの外周上に突出長設定目盛を入れ、更に該内部ハンドルの該突出長設定目盛上に位置し、該内部ハンドルの長手方向に前後する突出長調整グリップにより該外筒カテーテル先端から突出する該穿刺針の長さを調整すること特徴とする内視鏡用注射針である。
【０００８】
【発明の実施の形態】以下図面で本発明の実施例を詳細に説明する。図１は本発明の一実施例となる内視鏡用注射針で、穿刺針（２）を外筒カテーテル（４）の先端から突出させる突出長を設定して突出する前の状態を示すものである。図２は本発明の一実施例となる内視鏡用注射針で、穿刺針（２）を外筒カテーテル（４）の先端から突出させる突出長を設定後、外筒カテーテル（４）の先端から穿刺針（２）を突出させた状態を示すものである。図３は本発明の一実施例となる内視鏡注射針で、穿刺針（２）を外筒カテーテル（４）の先端から突出させる突出長を設定している状態を示す図である。
【０００９】
図１は本発明の内視鏡用注射針の一実施例で、穿刺針（２）を外筒カテーテル（４）の先端から突出させる突出長を設定した状態である。内視鏡用注射針は薬液を流すための内筒カテーテル（１）、内筒カテーテル（１）先端に取り付けられ、患部に穿刺するための穿刺針（２）、内筒カテーテルの基端に取り付けられ、薬液を注入するためのシリンジが取り付けられる内部ハンドル（３）、内筒カテーテル（１）及び穿刺針（２）を内腔に挿入した外筒カテーテル（４）外筒カテーテル（４）の基端に取り付けられ、内部ハンドル（３）を内腔に挿入した外部ハンドル（５）、外部ハンドル（５）の先端に位置し内筒カテーテル（１）、外筒カテーテル（４）の折れ曲がりを防止するキンクチューブ（８）、外筒カテーテル（４）先端から突出する穿刺針（２）の突出長を設定するため内部ハンドル（３）の外周部に位置する突出長調整グリップ（６）から構成される。
【００１０】
穿刺針（２）が外筒カテーテル（４）から突出するための突出長の操作方法としては、穿刺針（２）は安全のため外筒カテーテル（４）先端の内腔に位置しており、この状態で内部ハンドル（３）の外周部に設置された突出長調整グリップ（６）の位置を前後させ、内部ハンドル（３）の外周上にある突出長設定目盛（７）に合わせることで簡単に穿刺針（２）の突出長が設定できる。そして設定後には図２に示すように外部ハンドル（５）側へ内部ハンドル（３）を押し込み、突出長調整グリップ（６）が外部ハンドル（５）末端に突き当たると、押し込まれた長さだけ穿刺針（２）は前方に進み、外筒カテーテル（４）先端から穿刺針（２）が突出する。突出した穿刺針（２）は患部に穿刺され、図示はしていないが内部ハンドル（３）の末端に取り付けられたシリンジにより薬剤等を患部に注入する。また突出長を変更させる場合には、穿刺針（２）を外筒カテーテル（４）内腔に引き戻し、設定すべき突出長に突出長調整グリップ（６）を合わせた後、同じように内筒ハンドル（３）を押し込めば変更した突出長で穿刺が行える。
【００１１】
突出長設定目盛（７）としては内筒ハンドル（３）の外周上に印刷や凹凸部あるいは突出長設定目盛（７）を印刷したシールを貼り付けることで表示することが好ましく、更に突出長設定目盛各々の印刷や凹凸部分の色や長さを変たり、突出長設定目盛（７）と共に突出長を数値で表示することで更にわかりやすくすることも好ましい一例であるが、突出長がひと目でわかればこれらに限定はされない。また内筒ハンドル（３）長手方向に入れた目盛の幅であるが、幅が太すぎると突出長の精度に影響を与えるため突出長にもよるが、０．２〜０．４ｍｍが好ましい。
【００１２】
また突出長調整グリップ（６）の前後への移動機構としては内部ハンドル（３）外周と突出長調整グリップ（６）内径部にネジを設けて突出長調整グリップ（６）を回転させ前後させる方式、あるいは図３に示すように内部ハンドル（３）に突起を設け、突出調整グリップ（７）外周の長手方向に突起（９）が前後する溝（１０）及び突起が前後する溝の一部に突出長を設定するための固定溝（１１）を設けて、突起を溝にはめ込んで前後させる方式が好ましいが、高精度で突出長が設定できれば限定はされない。また突出調整グリップ（６）の形状であるが、突出長を設定する際には外周部分を回転などして前後に移動させるため操作者が握りやすくかつ滑りにくい形状が好ましく、外周表面に凹凸を設けて滑りにくくすることも好ましい一例である。
【００１３】
外部ハンドル（５）の形状としては、穿刺針を突出させる際に外部ハンドル（５）外形部分を手で保持して内部ハンドル（３）を押し込むため、円筒形状や多角柱形状などが好ましいが、握りやすい形状であれば限定はされない。また材質としては加工性の優れたプラスチックが好ましく、ＡＢＳ樹脂、ポリカーボネート樹脂、硬質ポリ塩化ビニル樹脂が更に好ましい。
【００１４】
内部ハンドル（３）の形状としては外部ハンドル（５）の内腔に挿入されて外部ハンドル（５）と一体で使用されるため、形状、材質とも外部ハンドル（５）と同等であることが好ましい。また末端には薬液を注入するためのシリンジが接続され、高粘度の薬液が注入されるため、ルアーテーパー形状のシリンジが接続できる形状とすることが好ましい。
【００１５】
内筒カテーテル（１）、外筒カテーテル（４）としては外筒カテーテル（４）内腔を内筒カテーテル（１）が前後し、内視鏡の鉗子口より外筒カテーテル（４）を挿入するため、表面の滑りがよく、また穿刺後にカテーテルを透して針の根元部分からの血液の逆流が視認できなければならないため透明性が必要で、更に内視鏡先端から突出したカテーテルを患部に穿刺するため、穿刺に耐える適度な弾性のある材質が好ましく、ポリテトラフルオロエチレン樹脂（ＰＴＦＥ）、テトラフルオロエチレン−ヘキサフルオロプロピレン共重合体樹脂（ＦＥＰ）、ポリアミド系エラストマー、軟質ポリ塩化ビニル樹脂（ＰＶＣ）、ポリウレタン（ＰＵ）などの合成樹脂を用いることが好ましい。
【００１６】
またカテーテルの寸法としては、内筒カテーテル（１）は高粘度の薬液が流れるため細すぎると薬液注入抵抗が高くなり、太すぎると薬液注入抵抗が低くなりすぎるため、内径としては０．４〜１．２ｍｍが好ましく、外径としては薬液注入の際の圧力に耐えることができる厚みをもった外径であれば寸法は規定しない。また外筒カテーテル（４）の内径は、内筒カテーテル（１）外径と外筒カテーテル（４）内径の間隙が狭いと穿刺針（２）を突出あるいは戻す際に抵抗が大きく、また広いと内視鏡の湾曲部で湾曲した外周側の外筒カテーテル（４）内径部に沿うように内筒カテーテル（１）外径部が密着するためその分内筒カテーテル（１）の長さが短くなり、設定した突出長も短くなるため内筒カテーテル（１）の外径より０．１〜０．３ｍｍ大きくした内径とすることが好ましい。外径は内視鏡の鉗子口にスムースに挿入でき、送気、吸引の妨げとならなければ寸法は規定しない。更に長さとしては内筒カテーテル（１）、外筒カテーテル（４）とも穿刺する部位による違いはあるが、１．５〜２．５ｍが好ましい。
【００１７】
外部ハンドル（５）から出た部分の内筒カテーテル（１）と外筒カテーテル（４）の折れ曲がりを防止するたのキンク防止チューブ（８）は、外筒カテーテル（４）の外径部を覆うように外部ハンドルに接着などで取り付けられており、折れ曲がりを防止するためのチューブのため弾性がある材質が好ましく、ポリアミド系エラストマー、軟質塩化ビニル樹脂（ＰＶＣ）、ポリウレタン（ＰＵ）などの合成樹脂が好ましい。また折れ曲がりの防止になれば熱収縮チューブを用いるのも好ましい一例である。
【００１８】
【発明の効果】
本発明による内視鏡用注射針は穿刺針が外筒カテーテルから突出する突出長の設定がすぐにわかるため、操作性が良くなる。
【図面の簡単な説明】
【図１】本発明の一実施例となる内視鏡用穿刺針で穿刺針を外筒カテーテルの先端から突出させる突出長を設定して突出する前の状態を示す図である。
【図２】本発明の一実施例となる内視鏡用穿刺針で穿刺針を外筒カテーテルの先端から突出させる突出長を設定後、外筒カテーテルの先端から穿刺針を突出させた状態を示す図である。
【図３】本発明の一実施例となる内視鏡用穿刺針で穿刺針を外筒カテーテルの先端から突出させるための設定長を設定している状態を示す図である。
【符号の説明】
１  内筒カテーテル
２  穿刺針
３  内部ハンドル
４  外筒カテーテル
５  外部ハンドル
６  突出長調整グリップ
７  突出長設定目盛
８  キンク防止チューブ
９  突起
１０  溝
１１  固定溝
【図１】
2004166808.tif 000003
【図２】
2004166808.tif 000004
【図３】
2004166808.tif 000005